(57)【要約】【課題】  簡単な操作で撮影画像に関連する情報を容易に付加する。【解決手段】  基地局あるいはインターネット経由でアクセス可能な音声変換システム８００を備えており、携帯端末１００の通話用マイクから入力した撮影画像に関連する情報は、そのまま音声としてメモリ１０５に保存するか、この音声情報８０を文字変換システム８００に向けて送信し、文字変換システム８００で文字情報に変換したデータを受信し、そのデータを撮影画像と併せてメモリ１０５に保存する。さらに、任意の付加情報サーバ９００を備えており、撮影画像に関連する更に詳細な情報を取得してメモリ１０５に保存する。例えば特定の店舗を撮影した場合、該店舗に関する付加情報（営業時間等）をインターネット上の付加情報サーバ９００より検索し、そのデータを撮影画像と併せて保存する。【選択図】  図１
2005236729.tif 000002
【特許請求の範囲】
【請求項１】
無線電話機能とカメラによる撮影機能及び撮影画像ファイルの管理機能を有する携帯端末と、前記カメラにより撮影された画像に関連して前記携帯端末から送信された信号に応答して、撮影画像関連情報を前記携帯端末に送信するサーバとを備えたデジタル画像保存システムにおいて、
前記撮影画像関連情報を送信するサーバとして、音声変換システムが備えられ、該音声変換システムは、前記携帯端末から前記カメラにより撮影された画像に関連付けて録音された音声データを受信し、該受信した音声データを文字データに変換して前記携帯端末に送り返す機能を有しており、前記携帯端末は、該受信した文字データを前記カメラにより撮影された画像と対応させて保存する機能を有していることを特徴とするデジタル画像保存システム。
【請求項２】
無線電話機能とカメラによる撮影機能及び撮影画像ファイルの管理機能を有する携帯端末と、前記カメラにより撮影された画像に関連して前記携帯端末から送信された信号に応答して、撮影画像関連情報を前記携帯端末に送信するサーバとを備えたデジタル画像保存システムにおいて、
前記撮影画像関連情報を送信するサーバとして、特定対象物に関連する付加情報を提供するサーバが備えられ、該サーバは、前記携帯端末から前記カメラにより撮影された画像に関連付けて前記特定対象物に関連する付加情報を要求するアクセスを受けたとき、前記特定対象物に関連する付加情報を前記携帯端末に送信する機能を有しており、前記携帯端末は、該受信した前記特定対象物に関連する付加情報を前記カメラにより撮影された画像と対応させて保存する機能を有していることを特徴とするデジタル画像保存システム。
【請求項３】
前記携帯端末は、ＧＰＳ受信機を備えており、前記撮影画像関連情報として、ＧＰＳ衛星から受信したデータによって取得した位置データを保存する機能を有していることを特徴とする請求項１または２に記載のデジタル画像保存システム。
【請求項４】
前記撮影画像関連情報を送信するサーバとして、位置情報システムが備えられ、該サーバは、前記携帯端末から、前記位置データを受信したとき、該位置データに対応する位置情報データを送信する機能を有しており、前記携帯端末は、該受信した前記位置情報データを前記カメラにより撮影された画像と対応させて保存する機能を有していることを特徴とする請求項３に記載のデジタル画像保存システム。
【請求項５】
無線電話機能とカメラによる撮影機能及び撮影画像ファイルの管理機能を有する携帯端末において、
前記カメラにより撮影された画像と関連付けた音声情報を録音する手段と、前記撮影画像関連情報および前記音声情報を、前記撮影画像と対応させて保存する記憶手段を有していることを特徴とする携帯端末。
【請求項６】
無線電話機能とカメラによる撮影機能及び撮影画像ファイルの管理機能を有する携帯端末において、
前記カメラにより撮影された画像と関連付けた音声情報を録音する手段と、該録音された音声情報を文字データに変換する音声変換システムへ送信するとともに、該音声変換システムから返送された変換文字データを受信する手段と、該受信した変換文字データを前記撮影画像と対応させて保存する記憶手段を有していることを特徴とする携帯端末。
【請求項７】
無線電話機能とカメラによる撮影機能及び撮影画像ファイルの管理機能を有する携帯端末において、
前記カメラにより撮影された特定対象物に関連する付加情報を提供するサーバにアクセスする手段と、該サーバから受信した前記特定対象物に関連する付加情報を前記カメラにより撮影された画像と対応させて保存する機能を有していることを特徴とする携帯端末。
【請求項８】
前記携帯端末は、ＧＰＳ衛星からの信号を受信して現在位置を算出するＧＰＳ受信手段を備えており、該ＧＰＳ受信手段により算出した位置データを、前記カメラにより撮影された画像と対応させて記憶手段に保存する機能を有していることを特徴とする請求項５〜７のいずれかに記載の携帯端末。
【請求項９】
前記携帯端末は、前記ＧＰＳ受信手段により算出した位置データを位置情報システムへ送信する手段と、該位置情報システムから受信した位置情報データを前記カメラにより撮影された画像と対応させて記憶手段に保存する機能を有していることを特徴とする請求項８に記載の携帯端末。
【請求項１０】
前記カメラにより撮影された画像と対応させて取得される前記情報の採用を、ユーザが選択可能に構成されていることを特徴とする請求項５〜９のいずれかに記載の携帯端末。
【請求項１１】
前記カメラにより撮影された画像及び該画像と対応させて前記記憶手段に保存されている全ての情報を、他の携帯端末へ送信する機能を有していることを特徴とする請求項５〜１０のいずれかに記載の携帯端末。
【発明の詳細な説明】
【技術分野】
【０００１】
本発明は、デジタルカメラ内蔵型の携帯端末等で撮影した画像の詳細情報を携帯端末内に画像データと併せて記録するシステムに関する。
【背景技術】
【０００２】
近年のデジタルカメラや、カメラ付き携帯電話機の普及により、誰もが容易にデジタル画像を作成することが可能になった。その便利さから、撮影枚数の増加や不特定の場所における撮影が頻繁に行われている。現在のデジタル画像の保存方法は、初期設定で日時をファイル名としている場合が多く、ユーザが初めにファイル名を指定しなくても、データを保存できる仕組みとなっているために画像ファイルを検索するための情報が少なく、画像ファイルが膨大になると所望の画像ファイルの検索が困難となり、また画像ファイルを閲覧したときにその画像を撮影した場所やそのときの状況等のデータが必要となっても思い出せないことがある。
【０００３】
このような問題を解消する方法として、特許文献１では、撮影された被写体をデジタル画像データとして記憶することが可能なデジタルカメラにおいて、デジタルカメラにＧＰＳ（Global Positioning System）受信機を搭載し、ＧＰＳにより取得した撮影位置をサーバに送信することにより、サーバを介して該撮影位置に関連する情報（撮影場所の地名や撮影時の天候等）を取得する撮影位置関連情報取得手段と、該撮影位置関連情報取得手段により取得した前記撮影位置関連情報を、撮影によって得られたデジタル画像データと対応して付加情報として記憶する記憶手段を備えることにより、撮影によって得られたデジタル画像データを、この付加情報をキーワードとして検索可能にして、撮影画像ファイルの管理を容易にする技術が記載されている。
【０００４】
【特許文献１】特開２００１−２１１３６４号公報
【発明の開示】
【発明が解決しようとする課題】
【０００５】
上記従来技術によれば、デジタルカメラで撮影した画像を保存する時に、該デジタルカメラを携帯電話機に接続し、ＧＰＳ衛星及びインターネット上の各データベースから、付加情報（位置情報や、天候、地図）を取得することができ、撮影された画像と共に画像データとしてデジタルカメラに保存することが可能となり、また、画像保存時に容易な操作で付加情報を取得して画像データの管理を行うことが可能となるが、サーバ上に必要な情報がない、もしくは不足していた場合には、それらの付加情報を入手することができないという問題がある。
【０００６】
本発明の目的は、以上の問題点に鑑み、撮影画像に関連する情報がサーバから得られない場合であっても、簡単な操作で撮影画像に関連する情報を当該画像に容易に付加することを可能にするデジタル画像保存システムを提供することにある。
【課題を解決するための手段】
【０００７】
本発明のデジタル画像保存システムは、無線電話機能とカメラによる撮影機能及び撮影画像ファイルの管理機能を有する携帯端末と、前記カメラにより撮影された画像に関連して前記携帯端末から送信された信号に応答して、撮影画像関連情報を前記携帯端末に送信するサーバとを備えたデジタル画像保存システムにおいて、前記撮影画像関連情報を送信するサーバとして、音声変換システムが備えられ、該音声変換システムは、前記携帯端末から前記カメラにより撮影された画像に関連付けて録音された音声データを受信し、該受信した音声データを文字データに変換して前記携帯端末に送り返す機能を有しており、前記携帯端末は、該受信した文字データを前記カメラにより撮影された画像と対応させて保存する機能を有していることを特徴とする。
【０００８】
あるいは、無線電話機能とカメラによる撮影機能及び撮影画像ファイルの管理機能を有する携帯端末と、前記カメラにより撮影された画像に関連して前記携帯端末から送信された信号に応答して、撮影画像関連情報を前記携帯端末に送信するサーバとを備えたデジタル画像保存システムにおいて、前記撮影画像関連情報を送信するサーバとして、特定対象物に関連する付加情報を提供するサーバが備えられ、該サーバは、前記携帯端末から前記カメラにより撮影された画像に関連付けて前記特定対象物に関連する付加情報を要求するアクセスを受けたとき、前記特定対象物に関連する付加情報を前記携帯端末に送信する機能を有しており、前記携帯端末は、該受信した前記特定対象物に関連する付加情報を前記カメラにより撮影された画像と対応させて保存する機能を有していることを特徴とする。
【０００９】
また、本発明の携帯端末は、無線電話機能とカメラによる撮影機能及び撮影画像ファイルの管理機能を有する携帯端末において、前記カメラにより撮影された画像と関連付けた音声情報を録音する手段と、前記撮影画像関連情報および前記音声情報を、前記撮影画像と対応させて保存する記憶手段を有していることを特徴とする。
【００１０】
あるいは、無線電話機能とカメラによる撮影機能及び撮影画像ファイルの管理機能を有する携帯端末において、前記カメラにより撮影された画像と関連付けた音声情報を録音する手段と、該録音された音声情報を文字データに変換する音声変換システムへ送信するとともに、該音声変換システムから返送された変換文字データを受信する手段と、該受信した変換文字データを前記撮影画像と対応させて保存する記憶手段を有していることを特徴とする。
【００１１】
あるいは、無線電話機能とカメラによる撮影機能及び撮影画像ファイルの管理機能を有する携帯端末において、前記カメラにより撮影された特定対象物に関連する付加情報を提供するサーバにアクセスする手段と、該サーバから受信した前記特定対象物に関連する付加情報を前記カメラにより撮影された画像と対応させて保存する機能を有していることを特徴とする。
【発明の効果】
【００１２】
本発明は、携帯電話機が本来有している通話用のマイクを利用して、カメラで撮影した画像データに関連する情報を音声データとして保存する手段を付加しているので、ＧＰＳ衛星及びインターネット上の各データベースから、付加情報（位置情報や、天候、地図）を取得することが困難な場合であっても、撮影画像関連データを簡単な操作により保存し、表示させることが可能となる。
【００１３】
また、上記撮影画像に関連する情報として、どのデータを採用するかを任意に選択することができるので、ユーザの好みに応じた撮影画像関連情報を保存し、表示させることができる。
【発明を実施するための最良の形態】
【００１４】
図１は、本発明の実施形態を示すデジタル画像保存システムの概略図である。
【００１５】
本実施形態の携帯端末１００は、通常の携帯無線電話機能とカメラ撮影機能及び撮影画像ファイルの管理機能を有しており、撮影位置を検出するためのＧＰＳ用アンテナ１０１、カメラ１０２および撮影画像を保存するためのメモリ１０５を備えている。
【００１６】
カメラ１０２で撮影された画像をメモリ１０５に保存する場合には、その撮影場所の緯度・経度データ６０をＧＰＳ衛星６００より取得し、次に緯度・経度データ６０の数値を、基地局２００経由で位置情報システム５００へ送信し、位置情報システム５００から位置情報（地図、住所等）データ５０を受信して携帯端末１００の表示部１０３に表示する。次に、取得した情報５０から、撮影された場所の天候情報７０をインターネット経由で天候情報サーバ７００より取得する。
【００１７】
その後、撮影した画像と該撮影画像に関連して取得した位置情報５０および天候情報７０を含むデータを、画像データとして携帯端末１００のメモリ１０５に保存する。また、この画像データを他の携帯端末へ送信する場合、これらの撮影画像に関連して取得した情報を全て含めた形式で送信することが可能であり、受信者もこれらの関連情報が付加された撮影画像を自端末にて閲覧することができる。
【００１８】
本実施形態では、さらに例えば、サーバ上に必要な情報がない、もしくは情報が不足している場合等には、携帯端末１００が備える通話用マイクを用いて撮影画像に関連する情報を音声で録音し、その音声情報を画像と共にメモリ１０５に保存する機能を備えている。撮影画像に関連する情報としては、撮影時の天候、撮影対象物に関連する情報あるいは撮影時の感想等を音声により録音しておけば、後日の画像閲覧の際に、撮影時の状況を容易に把握することができる。
【００１９】
また、基地局あるいはインターネット経由でアクセス可能な音声変換システム８００を備えており、携帯端末１００の通話用マイクから入力した撮影画像に関連する情報は、そのまま音声としてメモリ１０５に保存することもできるが、この音声情報８０を文字変換システム８００に向けて送信し、文字変換システム８００で文字情報に変換したデータを受信し、そのデータを撮影画像と併せてメモリ１０５に保存することが可能である。
【００２０】
さらに、任意の付加情報サーバ９００を備えており、撮影画像に関連する更に詳細な情報を取得してメモリ１０５に保存しておくことができる。例えば特定の店舗を撮影した場合、該店舗に関する付加情報（営業時間等）をインターネット上の付加情報サーバ９００より検索し、付加情報ＡあるいはＢを取得して、そのデータを撮影画像と併せて保存することも可能にしている。
【００２１】
また、これらの画像データを他の携帯端末へ送信する場合、撮影画像に関連して取得したこれらの情報を全て含めた形式で送信することが可能であり、受信者もこれらの関連情報が付加された撮影画像を自端末にて閲覧することができる。
【００２２】
図２〜図４は、本実施形態の動作を示すフローチャートである。以下、図１〜図４を参照して本実施形態の動作について詳細に説明する。
【００２３】
携帯端末１００にて対象物を撮影し（Ａ１）、撮影した画像を携帯端末に保存するかを選択する（Ａ２）。保存しない場合は、撮影された画像は削除され、再び撮影モードに戻る（Ａ１）。画像を保存する場合は、次に位置情報を取得するかどうかを選択する（Ａ３）。
【００２４】
位置情報を取得しない場合はステップＡ２０へ進み、音声データを保存するかどうかを選択する（Ａ２１）。音声データを保存しない場合は画像のみをメモリ１０５に保存する（Ａ２７）。音声データを保存する場合は、携帯端末１００により撮影画像と関連する内容の録音を行う（Ａ２２）。次に、録音した内容を文字データに変換するかどうかを選択する（Ａ２３）。録音した内容を文字データに変換しない場合は、画像と録音した音声をメモリ１０５に保存する（Ａ２６）。
【００２５】
録音した内容を文字データに変換する場合は、音声変換システム８００にアクセスして、録音した音声データを基地局２００経由で音声変換システム８００に送信する。音声変換システ８００は受信した音声データを文字データに変換して携帯端末１００に送り返す。音声変換システ８００から文字データに変換された音声情報が取得されると（Ａ２４）、携帯端末１００は撮影画像と取得した文字データをメモリ１０５に保存する（Ａ２５）。
【００２６】
一方、ステップＡ３で、位置情報の取得を選択した場合、次にＧＰＳアンテナ１０１からＧＰＳ衛星６００へアクセスし、現在地の緯度及び経度を取得する（Ａ４）。取得した緯度・経度データ６０から、更に詳細な位置情報（付加情報）を取得するかどうかを選択する（Ａ５）。
【００２７】
詳細な位置情報（付加情報）を取得しない場合はステップＡ３０へ進み、音声データを保存するかどうかを選択する（Ａ３１）。音声データを保存しない場合は画像と緯度・経緯データ６０のみをメモリ１０５に保存する（Ａ３７）。音声データを保存する場合は、携帯端末１００により撮影画像と関連する内容の録音を行う（Ａ３２）。次に、録音した内容を文字データに変換するかどうかを選択する（Ａ３３）。録音した内容を文字データに変換しない場合は、撮影画像と緯度・経緯データ６０と録音した音声をメモリ１０５に保存する（Ａ３６）。
【００２８】
録音した内容を文字データに変換する場合は、音声変換システム８００にアクセスして、録音した音声データを基地局２００経由で音声変換システム８００に送信する。音声変換システ８００は受信した音声データを文字データに変換して携帯端末１００に送り返す。音声変換システ８００から文字データに変換された音声情報が取得されると（Ａ３４）、携帯端末１００は撮影画像と緯度・経緯データ６０と取得した文字データをメモリ１０５に保存する（Ａ３５）。
【００２９】
一方、ステップＡ５で、詳細な位置情報（付加情報）の取得を選択した場合は、位置情報提供システ５００にアクセスする。位置情報提供システ５００は受信した緯度・経度データ６０を用いて撮影場所の地図及び、住所としてのデータに変換し、携帯端末１００に送信する。次に取得した位置情報５０を利用してインターネット上の天候情報サーバ７００から天候情報７０を取得し（Ａ６）、保存するかどうか判断する（Ａ７）。また、更に詳細な情報が必要な場合は付加情報サーバＡ、Ｂ等に問い合わせを実行し、情報を取得する。所望のデータが取得できなかった場合あるいは保存しない場合は、ステップＡ３０へ進み、前記のステップＡ３１〜ステップＡ３７の動作を行う。
【００３０】
一方、ステップＡ７で、取得した情報を保存する場合は、音声データも保存するかどうかを選択し（Ａ８）、音声データを保存しない場合は、画像と付加情報のみをメモリ１０５に保存する（Ａ１４）。音声データを保存する場合は、携帯端末１００により撮影画像と関連する内容の録音を行う（Ａ９）。次に、録音した内容を文字データに変換するかどうかを選択する（Ａ１０）。録音した内容を文字データに変換しない場合は、画像と付加情報と録音した音声をメモリ１０５に保存する（Ａ１３）。
【００３１】
録音した内容を文字データに変換する場合は、音声変換システム８００にアクセスして、録音した音声データを基地局２００経由で音声変換システム８００に送信する。音声変換システ８００は受信した音声データを文字データ８０に変換して携帯端末１００に送り返す。音声変換システ８００から文字データ８０に変換された音声情報が取得されると（Ａ１１）、携帯端末１００は撮影画像と付加情報と取得した文字データをメモリ１０５に保存する（Ａ１２）。
【００３２】
図５〜図７は、本実施形態の携帯端末１００による撮影画像と音声データの保存操作および再生操作を実施したときの表示部１０３に表示される具体的内容の一例を示している。以下、この具体例を用いて更に説明する。
【００３３】
携帯端末１００のカメラ１０２で撮影が行われると（Ｂ１）、撮影された画像２０を保存するか否かの選択肢が表示部１０３に表示される（Ｂ２）。保存しない場合は続けて撮影状態に戻るか、またはカメラアプリケーションを終了する。保存が選択された場合、引き続いて位置情報のデータを取得するかの否かの選択肢が表示部１０３に表示される（Ｂ３）。取得する場合は、ＧＰＳ衛星６００より現在の撮影場所を特定し（Ｂ４）、数値として緯度及び経度を携帯端末１００に表示する（Ｂ５）。
【００３４】
更に詳細情報を必要とする場合（Ｂ６）、取得した緯度・経度情報６０を位置情報提供システム５００に向けて送信して撮影場所の位置情報５０（地図、住所）を取得し、また、天候情報サーバ７００から天候情報７０を取得する（Ｂ８）。そして、画像１０、位置情報５０、天候情報７０の情報を含めた画像データ３０を、携帯端末１００のメモリ１０５に保存する（Ｂ１０）。
【００３５】
上記保存操作において、位置情報のデータを取得するかの否かの選択肢の表示（Ｂ３）、詳細情報取得の選択肢の表示（Ｂ６）においてＮｏが選択された場合、および取得詳細情報を保存するか否かの選択肢の後に、音声データを保存するか否かの選択肢が表示され、音声データの保存を選択した場合には録音の指示が表示され（Ｂ１２）、携帯端末１００に内蔵されている通話用マイクを用いて、撮影画像に関連した音声データの録音を行う。
【００３６】
音声データの録音が終了すると、録音した音声データを文字データに変換するか否かの選択肢が表示部１０３に表示される（Ｂ１３）。文字データへの変換が選択された場合、録音した音声データを基地局２００経由で音声変換システム８００に送信して（Ｂ１４）、文字データ８０を取得する（Ｂ１６）。次にこの文字データを保存するか否かの選択肢が表示され（Ｂ１７）、文字データの保存が選択されると、画像データと文字データ８０が保存されたことが表示され（Ｂ１８）、それ以外の音声データ保存選択の場合には、各ステップにおいて選択された画像データと録音した音声データを保存したことが表示される（Ｂ１５）。
【００３７】
次に、このようにして付加情報付で保存された画像データ３０を携帯端末１００より選択し（Ｃ１）、メニューキーにより詳細情報を閲覧すると、撮影日時、場所、地図、および天候が表示される（Ｃ２）。さらに、画像Ｃ２に表示された各リンク（地図、その他の情報、音声）を選択すると、各データが表示（Ｃ３、Ｃ４）または再生される（Ｃ５）。また本画像を他の携帯端末へ送信すると、これらの情報を含めた形式で送信され、受信側は画像データ３０を受信端末にて閲覧でき、撮影時の天候や、撮影場所などを知ることができる。
【００３８】
なお、上記実施形態では、ステップＡ５で、詳細な位置情報（付加情報）の取得を選択した場合、位置情報提供システ５００にアクセスし、位置情報提供システ５００が受信した緯度・経度データ６０を用いて撮影場所の地図及び、住所としてのデータに変換して携帯端末１００に送信し、次に取得した位置情報５０を利用してインターネット上の天候情報サーバ７００から天候情報７０を取得し（Ａ６）、保存するかどうか判断した後に、更に詳細な情報が必要な場合は付加情報サーバ９００に問い合わせを実行し、情報を取得しているが、直接付加情報サーバ９００にアクセスすることも可能である。
【００３９】
例えば、カメラにより撮影した対象物が特定でき、かつ該特定対象物に関連する付加情報を提供するサーバが分かっている場合には、該対象物を撮影後にユーザが当該サーバにアクセスして所望のデータを取得し、撮影画像関連情報として、メモリ１０５に保存することも可能である。
【図面の簡単な説明】
【００４０】
【図１】本発明の実施形態を示すデジタル画像保存システムの概略図である。
【図２】本実施形態の動作を示すフローチャートである。
【図３】本実施形態の動作を示すフローチャートである。
【図４】本実施形態の動作を示すフローチャートである。
【図５】本実施形態の携帯端末による撮影画像の保存操作時の表示例を示す図である。
【図６】本実施形態の携帯端末による音声データの保存操作時の表示を示す図である。
【図７】本実施形態の携帯端末による撮影画像および音声データの再生操作時の表示例を示す図である。
【符号の説明】
【００４１】
１００  携帯端末
１０１  ＧＰＳアンテナ
１０２  カメラ
１０３  表示部
１０４  入力部
１０５  メモリ
２００  基地局
５００  位置情報システム
６００  ＧＰＳ衛星
７００  天候情報サーバ
８００  音声変換システム
【図１】
2005236729.tif 000003
【図２】
2005236729.tif 000004
【図３】
2005236729.tif 000005
【図４】
2005236729.tif 000006
【図５】
2005236729.tif 000007
【図６】
2005236729.tif 000008
【図７】
2005236729.tif 000009